【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
第１筐体と、
第２筐体と、
前記第１筐体に対して前記第２筐体をスライド可能に連結する連結部と
を具備するスライド式携帯電話端末であって、
前記第１筐体に設けられ、第１音声を収集して、第１アナログ信号を生成するマイクと、
前記第１アナログ信号を入力し、変換する音声入力部と、
第２アナログ信号を出力する音声出力部と、
前記第２筐体に設けられ、前記第２アナログ信号に基づいて、通話先の第２音声を出力するレシーバと、
前記連結部を監視し、前記スライドに関する第１形状と、前記スライドに関し前記第１形状よりも前記マイクと前記レシーバとの直線距離が短い第２形状との何れかを判定し、前記音声入力部、又は、前記音声出力部を制御する制御部と
を具備し、
前記音声入力部は、
前記第１アナログ信号に基づいて、第１デジタル信号を生成する第１コーデック部と、
前記第１デジタル信号に所定の変換を施して、第２デジタル信号を生成する第１信号処理部と
を備え、
前記音声出力部は、
前記第２音声に基づく第３デジタル信号を受け取り、所定の変換を施して第４デジタル信号を生成する第２信号処理部と、
前記第４デジタル信号に基づいて、前記第２アナログ信号を生成する第２コーデック部と
を備え、
前記第１信号処理部は、
前記第１デジタル信号を増幅する第１アンプ
を備え、
前記制御部は、
前記連結部を監視して、前記第１形状又は前記２形状を表す監視結果を出力する形状監視部と、
前記第２形状を表す監視結果の場合、前記第１アンプを、前記第１形状を表す監視結果の場合よりもゲインが小さくなるように制御するゲイン調整部と
を備える
スライド式携帯電話端末。
【請求項２】
前記制御部は、
前記第１形状のときの前記第１アンプの第１ゲインと、前記第２形状のときの前記第１アンプの第２ゲインとが格納されたゲイン調整テーブル
を更に備え、前記第２ゲインは前記第１ゲインよりも小さく、
前記ゲイン調整部は、
前記第１形状を表す監視結果の場合、前記第１ゲインに基づいて前記第１アンプを制御し、
前記第２形状を表す監視結果の場合、前記第２ゲインに基づいて前記第１アンプを制御する
請求項１に記載のスライド式携帯電話端末。
【請求項３】
前記第１信号処理部は、
前記マイクと前記レシーバとの間に生じるエコーを表す信号を抑制する第１エコー抑制システム
を更に備え、
前記制御部は、
前記第１形状のときの前記エコーを抑制するためのパラメータを表す第１キャンセリング信号と、前記第２形状のときの前記エコーを抑制するためのパラメータを表す第２キャンセリング信号とが格納されたエコー抑制テーブルと、
前記第１形状を表す監視結果の場合、前記第１キャンセリング信号を前記第１エコー抑制システムに出力し、前記第２形状を表す監視結果の場合、前記第２キャンセリング信号を前記第１エコー抑制システムに出力するエコー抑制部と
を更に備え、
前記第１エコー抑制システムは、
前記第１デジタル信号のうちの前記エコーを表す信号に、前記第１キャンセリング信号又は前記第２キャンセリング信号を加算する
請求項１又は２に記載のスライド式携帯電話端末。
【請求項４】
前記第２信号処理部は、
前記エコーを表す信号を抑制する第２エコー抑制システム
を更に備え、
前記エコー抑制部は、
前記第１形状を表す監視結果の場合、前記第１キャンセリング信号を前記第１エコー抑制システム及び前記第２エコー抑制システムに出力し、前記第２形状を表す監視結果の場合、前記第２キャンセリング信号を前記第１エコー抑制システム及び前記第２エコー抑制システムに出力し、
前記第２エコー抑制システムは、
前記第３デジタル信号のうちの前記エコーを表す信号に、前記第１キャンセリング信号又は前記第２キャンセリング信号を加算する
請求項３に記載のスライド式携帯電話端末。
【請求項５】
前記第１信号処理部は、
前記第１デジタル信号のうちの音響伝達関数を表す信号を抑制するイコライザ
を更に備え、
前記制御部は、
前記第１形状のときの前記音響伝達関数を排除するための第１逆関数と、前記第２形状のときの前記音響伝達関数を排除するための第２逆関数とが格納された関数切替テーブルと、
前記第１形状を表す監視結果の場合、前記第１逆関数を表す信号を前記イコライザに出力し、前記第２形状を表す監視結果の場合、前記第２逆関数を表す信号を前記イコライザに出力する関数切替部と
を更に備え、
前記イコライザは、
前記第１デジタル信号に、前記第１逆関数又は前記第２逆関数を表す信号を乗算する
請求項１乃至４の何れか一項に記載のスライド式携帯電話端末。
【請求項６】
マイクを有する第１筐体と、前記マイクに接続された音声入力部と、レシーバを有する第２筐体と、前記レシーバに接続された音声出力部と、前記第１筐体に対して前記第２筐体をスライド可能に連結する連結部と、制御部とを具備するスライド式携帯電話端末の通信方法であって、
前記制御部が、前記連結部を監視し、前記スライドに関する第１形状と、前記スライドに関し前記第１形状よりも前記マイクと前記レシーバとの直線距離が短い第２形状との何れかを判定し、前記音声入力部を制御するステップと、
前記マイクが第１音声を収集して、第１アナログ信号を生成するステップと、
前記音声入力部が有する第１コーデック部が、前記第１アナログ信号に基づいて、第１デジタル信号を生成するステップと、
前記音声入力部が有する第１信号処理部が、前記制御部の制御に基づいて、前記第１デジタル信号に所定の変換を施して、第２デジタル信号を生成するステップと
を具備し、
前記音声入力部を制御するステップは、
前記第２形状の場合、前記第１信号処理部が有する第１アンプを、前記第１形状の場合よりもゲインが小さくなるように制御するステップ
を備え、
前記第２デジタル信号を生成するステップは、
前記第１アンプが前記制御部の制御に基づいて前記第１デジタル信号を増幅するステップ
を備える
スライド式携帯電話端末の通信方法。
【請求項７】
前記ゲインが小さくなるように制御するステップは、
前記第１形状のときの前記第１アンプの第１ゲインと、前記第２形状のときの前記第１アンプの第２ゲインとが格納されたゲイン調整テーブルを参照するステップと、前記第２ゲインは前記第１ゲインよりも小さく、
前記第２形状の場合、前記第１ゲインに基づいて前記第１アンプを制御するステップと
を含み、
前記第１デジタル信号を増幅するステップは、
前記第１アンプが、前記第１ゲインに基づいて前記第１デジタル信号を増幅するステップ
を含む
請求項６に記載のスライド式携帯電話端末の通信方法。
【請求項８】
前記音声入力部を制御するステップは、
前記第１形状のときの前記マイクと前記レシーバとの間に生じるエコーを抑制するためのパラメータを表す第１キャンセリング信号と、前記第２形状のときの前記エコーを抑制するためのパラメータを表す第２キャンセリング信号とが格納されたエコー抑制テーブルを参照するステップと、
前記第１形状の場合、前記第１キャンセリング信号を前記第１信号処理部が有する第１エコー抑制システムに出力し、前記第２形状の場合、前記第２キャンセリング信号を前記第１エコー抑制システムに出力するステップと
を更に備え、
前記第２デジタル信号を生成するステップは、
前記第１エコー抑制システムが、前記第１デジタル信号のうちの前記エコーを表す信号に、前記第１キャンセリング信号又は前記第２キャンセリング信号を加算するステップ
を更に備える
請求項６又は７に記載のスライド式携帯電話端末の通信方法。
【請求項９】
前記制御部が、前記連結部を監視し、前記第１形状と前記第２形状との何れかを判定し、前記音声出力部を制御するステップと、
前記音声出力部が有する第２信号処理部が、前記第２音声に基づく第３デジタル信号を受け取り、所定の変換を施して第４デジタル信号を生成するステップと、
前記音声出力部が有する第２コーデック部が、前記第４デジタル信号に基づいて、第２アナログ信号を生成するステップと、
前記レシーバが前記第２アナログ信号に基づいて、通話先の第２音声を出力するステップと
を更に具備し、
前記音声出力部を制御するステップは、
前記エコー抑制テーブルを参照するステップと、
前記第１形状の場合、前記第１キャンセリング信号を前記第２信号処理部が有する第２エコー抑制システムに出力し、前記第２形状の場合、前記第２キャンセリング信号を前記第２エコー抑制システムに出力するステップと
を更に備え、
前記第４デジタル信号を生成するステップは、
前記第２エコー抑制システムが、前記第３デジタル信号のうちの前記エコーを表す信号に、前記第１キャンセリング信号又は前記第２キャンセリング信号を加算するステップ
を更に備える
請求項８に記載のスライド式携帯電話端末の通信方法。
【請求項１０】
前記音声入力部を制御するステップは、
前記第１形状のときの前記音響伝達関数を排除するための第１逆関数と、前記第２形状のときの前記音響伝達関数を排除するための第２逆関数とが格納された関数切替テーブルを参照するステップと、
前記第１形状の場合、前記第１逆関数を表す信号を前記第１信号処理部が有するイコライザに出力し、前記第２形状の場合、前記第２逆関数を表す信号を前記イコライザに出力するステップと
を更に備え、
前記第２デジタル信号を生成するステップは、
前記イコライザが、前記第１デジタル信号に、前記第１逆関数又は前記第２逆関数を表す信号を乗算するステップ
を更に備える
請求項６乃至９の何れか一項に記載のスライド式携帯電話端末の通信方法。
【手続補正２】
【補正対象書類名】明細書
【補正対象項目名】００１２
【補正方法】変更
【補正の内容】
【００１２】
本発明のスライド式携帯電話端末は、第１筐体と、第２筐体と、第１筐体に対して第２筐体をスライド可能に連結する連結部とを具備するスライド式携帯電話端末であって、第１筐体に設けられ、第１音声を収集して第１アナログ信号を生成するマイクと、第１アナログ信号を入力し変換する音声入力部と、第２アナログ信号を出力する音声出力部と、第２筐体に設けられ、第２アナログ信号に基づいて通話先の第２音声を出力するレシーバと、連結部を監視し、スライドに関する第１形状と、スライドに関し第１形状よりもマイクとレシーバとの直線距離が短い第２形状との何れかを判定し、音声入力部、又は、音声出力部を制御する制御部とを具備する。
音声入力部は、第１アナログ信号に基づいて、第１デジタル信号を生成する第１コーデック部と、第１デジタル信号に所定の変換を施して、第２デジタル信号を生成する第１信号処理部とを備える。
音声出力部は、第２音声に基づく第３デジタル信号を受け取り、所定の変換を施して第４デジタル信号を生成する第２信号処理部と、第４デジタル信号に基づいて、第２アナログ信号を生成する第２コーデック部とを備える。
第１信号処理部は、第１デジタル信号を増幅する第１アンプを備える。制御部は、連結部を監視して、第１形状又は２形状を表す監視結果を出力する形状監視部と、第２形状を表す監視結果の場合、第１アンプを、第１形状を表す監視結果の場合よりもゲインが小さくなるように制御するゲイン調整部とを備える。
【手続補正３】
【補正対象書類名】明細書
【補正対象項目名】００１３
【補正方法】変更
【補正の内容】
【００１３】
本発明のスライド式携帯電話端末の通信方法は、マイクを有する第１筐体と、マイクに接続された音声入力部と、レシーバを有する第２筐体と、レシーバに接続された音声出力部と、第１筐体に対して第２筐体をスライド可能に連結する連結部と、制御部とを具備するスライド式携帯電話端末に関する。
本発明のスライド式携帯電話端末の通信方法は、制御部が連結部を監視し、スライドに関する第１形状と、スライドに関し第１形状よりもマイクとレシーバとの直線距離が短い第２形状との何れかを判定し、音声入力部を制御するステップと、マイクが第１音声を収集して、第１アナログ信号を生成するステップと、音声入力部が有する第１コーデック部が、第１アナログ信号に基づいて、第１デジタル信号を生成するステップと、音声入力部が有する第１信号処理部が、制御部の制御に基づいて、第１デジタル信号に所定の変換を施して、第２デジタル信号を生成するステップとを具備する。
音声入力部を制御するステップは、第２形状の場合、第１信号処理部が有する第１アンプを、第１形状の場合よりもゲインが小さくなるように制御するステップを備える。
第２デジタル信号を生成するステップは、第１アンプが制御部の制御に基づいて第１デジタル信号を増幅するステップを備える。